(57)【要約】      （修正有）【課題】外部サーバから投稿情報を取得し、地図上に表示する地図表示装置において、現在位置付近に新規に表示される情報の表示を制限することで、ユーザの危険な運転や歩行を防止することが可能な地図表示装置を提供する。【解決手段】地図生成部ＳＰ３１は、投稿情報取得部ＳＰ２４が外部サーバから取得した新規投稿情報のうち、新規投稿情報の位置情報と現在位置算出部ＳＰ２２の現在位置との距離が、基準値以上である新規投稿情報を地図上に表示し、基準値未満である新規投稿情報を非表示にするように投稿情報付帯地図画像を生成し、表示部に表示する。【選択図】図４
2014074670.tif 000002
【特許請求の範囲】
【請求項１】
位置情報および日時情報を含む情報を蓄積する外部サーバから情報を取得し、該取得情報に含まれる位置情報に合致する地図上の特定位置に前記情報を表示する地図表示装置において、
現在位置を算出する現在位置算出部と、
前記外部サーバと通信する通信部と、
該通信部を介して前記外部サーバから情報を取得した日時を記憶する取得日時記憶部と、
該取得日時記憶部に記憶された取得日時と前記情報の日時情報とに基づいて、外部サーバから前記取得日時以降の情報を取得する取得部と、
該取得部により取得した前記情報に含まれる位置情報の位置と前記現在位置算出部により算出した前記現在位置との距離が、基準値未満であれば、前記情報の表示を行わず、前記情報の位置情報の位置と前記現在位置との距離が基準値以上であれば、前記情報の表示を行うように表示制御する表示制御部と、
該表示制御部により前記表示制御された情報を表示する表示部と、
を備えることを特徴とする地図表示装置。
【請求項２】
前記表示制御部は、表示中の地図縮尺に応じて前記基準値を変更する、
ことを特徴とする請求項１記載の地図表示装置。
【請求項３】
前記表示制御部は、表示中の地図縮尺が広域である程前記基準値を大きくするように変更する、
ことを特徴とする請求項２記載の地図表示装置。
【請求項４】
前記現在位置算出部の位置情報に基づき、移動中であるか否かを判定する判定部を更に備え、
前記判定部により移動中であると判定された場合、前記表示制御部は、前記表示制御を行い、前記判定部により停止中であると判定された場合、前記表示制御部は、前記取得部により取得された全ての情報を表示する、
ことを特徴とする請求項１〜３いずれかに記載の地図表示装置。
【請求項５】
前記表示制御部は、前記情報を地図上に表示させる際、アイコンを用いて表示する、
ことを特徴とする請求項１〜４いずれかに記載の地図表示装置。
【請求項６】
前記表示部は、外部表示装置である、
ことを特徴とする請求項１〜５いずれかに記載の地図表示装置。
【請求項７】
前記情報は、テキストまたは画像の投稿であり、前記位置情報に含まれる位置は、情報が投稿された位置である、
ことを特徴とする請求項１〜６いずれかに記載の地図表示装置。
【請求項８】
前記情報は、施設のクーポン情報または広告であり、前記位置情報は、前記施設の位置である、
ことを特徴とする請求項１〜７いずれかに記載の地図表示装置。
【発明の詳細な説明】
【技術分野】
【０００１】
本発明は、位置情報および日時情報を含む情報を蓄積する外部サーバから情報を取得し、取得した情報に含まれる位置情報に合致する地図上の特定の位置に前記情報を表示する地図表示装置に関する。
【背景技術】
【０００２】
近年、ツイッター（登録商標）、Ｆａｃｅｂｏｏｋ（登録商標）などのソーシャル・ネットワーキング・サービス（以下、ＳＮＳ）が普及しており、ユーザは、スマートフォンや携帯電話、パーソナルコンピュータ（以下、ＰＣ）などを用いて、手軽に様々な情報を閲覧および投稿することが可能になっている。
これらのＳＮＳは、ユーザが情報を投稿する際に、投稿した位置と投稿内容を対応付けることができるため、ＳＮＳサーバには、投稿者を示すアカウント、投稿者が投稿した日時を示す投稿日時、投稿者が投稿した位置を示す位置情報、および、投稿内容などの情報が含まれた投稿情報が蓄積されている。
【０００３】
このようなＳＮＳを車内でも利用したいというユーザニーズは高く、ユーザが車両に乗車する際に、携帯電話などの携帯端末で利用しているＳＮＳを引き続き車内でも利用したいという要望がある。そこで、ＳＮＳサーバから取得した投稿情報を、投稿されてから取得するまでの経過時間や投稿情報が属するカテゴリに応じた表示形式で、地図上に表示する車載用表示装置が開示されている（特許文献１）。
【０００４】
また、ＳＮＳの投稿情報以外にも、クーポン情報サイトなどにより、ユーザはスマートフォンや携帯電話、ＰＣを用いて、各種施設のクーポンや広告を手軽に入手できる。このようなクーポンや広告の情報も、上記ＳＮＳへの投稿情報と同様に、車内で利用できるようになっており、例えば、サーバに蓄積される広告データから所定の条件に応じた広告情報を取得し、取得した広告情報をディスプレイの地図上に重畳表示させる車両用ナビゲーション装置が開示されている（特許文献２）。
【先行技術文献】
【特許文献】
【０００５】
【特許文献１】特開２０１１−２４７８３２号  公報
【特許文献２】特開２００２−１６２２３７号  公報
【発明の概要】
【発明が解決しようとする課題】
【０００６】
ところで、上記特許文献１記載の車載用表示装置は、取得した投稿情報のうち、所定のカテゴリに分類される投稿情報のみをフィルタリングし、表示することが可能となっているが、投稿された投稿日時を基に投稿情報を表示するか否かのフィルタリングを行うことができないため、あるＳＮＳユーザが新しくＳＮＳサーバに投稿した投稿情報を車載用表示装置が取得すると、取得された全ての投稿情報が地図に表示されるようになっている。
図１１（ａ）は、投稿情報を地図上に表示させた際の一例を示しており、道路形状、施設位置を示すＰＯＩ（Ｐｏｉｎｔ  ｏｆ  Ｉｎｔｅｒｅｓｔ）、現在位置（ＶＰ）、および、投稿情報（Ｔ１）が描画されている。このような状況で、車載用表示装置が、ＳＮＳサーバから新規投稿情報を取得し、その投稿情報を表示させると、図１１（ｂ）に示すように、新規投稿情報（Ｔ２、Ｔ３、Ｔ４）が追加される。このとき、例えば、Ｔ２に示す投稿情報「変な車発見！」が新しく表示されると、運転者はどんな変な車があるのかを確認したくなり、反対車線の方向を見てしまうため、脇見運転となる。また、Ｔ３に示す投稿情報「アイドル発見♪」が新しく表示されると、そのアイドルを一目見ようと、その投稿情報が投稿された場所へ行こうとし、左折するために、急なハンドル操作となる。
【０００７】
このように、運転者は、現在位置付近に投稿情報が急に表示されると、その投稿情報が気になり、その内容を確かめようと、地図を注視してしまったり、その投稿情報が投稿された方向を見たり、脇見運転などにより安全な運転に支障をきたす。また、時には急なハンドル操作やブレーキ操作をしてしまうことも考えられる。このような事象は、自動車などを運転している場合だけでなく、人が歩行中に携帯端末を利用している場面でも考えられる。この場合においても、歩行者は、現在地付近に投稿情報が表示されると、携帯端末の画面を注視し、周囲に危険があったとしても気付かず、怪我や事故にあってしまう可能性がある。
【０００８】
また、特許文献２記載の車両用ナビゲーション装置も同様に、現在位置付近に急に広告情報が表示されると、その内容が気になり、地図を注視してしまったり、その広告情報が示す施設を探してしまったり、安全な運転や歩行に支障をきたしてしまう。
【０００９】
以上のことから、本発明の目的は、現在位置付近に新規に表示される情報の表示を制限することで、ユーザの危険な運転や歩行を防止することが可能な地図表示装置を提供することである。
【課題を解決するための手段】
【００１０】
上記課題を解決するために、本発明の地図表示装置は、位置情報および日時情報を含む情報を蓄積する外部サーバから情報を取得し、該取得情報に含まれる位置情報に合致する地図上の特定位置に前記情報を表示する地図表示装置であって、現在位置を算出する現在位置算出部と、前記外部サーバと通信する通信部と、該通信部を介して前記外部サーバから情報を取得した日時を記憶する取得日時記憶部と、該取得日時記憶部に記憶された取得日時と前記情報の日時情報とに基づいて、外部サーバから前記取得日時以降の情報を取得する取得部と、該取得部により取得した前記情報に含まれる位置情報の位置と前記現在位置算出部により算出した前記現在位置との距離が、基準値未満であれば、前記情報の表示を行わず、前記情報の位置情報の位置と前記現在位置との距離が基準値以上であれば、前記情報の表示を行うように表示制御する表示制御部と、該表示制御部により前記表示制御された情報を表示する表示部と、を備えている。
【００１１】
さらに、本発明の地図表示装置の前記表示制御部は、表示中の地図縮尺に応じて前記基準値を変更するようにすることもでき、前記基準値を表示中の地図縮尺が広域である程前記基準値を大きくするように変更する。
【００１２】
好ましくは、前記現在位置算出部の位置情報に基づき、移動中であるか否かを判定する判定部を更に備え、前記判定部により移動中であると判定された場合、前記表示制御部は、前記表示制御を行い、前記判定部により停止中であると判定された場合、前記表示制御部は、前記取得部により取得された全ての情報を表示する。
そして、前記表示制御部は、前記情報を地図上に表示させる際、アイコンを用いて表示し、前記表示部は、外部表示装置である。
【００１３】
好ましくは、前記情報は、テキストまたは画像の投稿であり、前記位置情報に含まれる位置は、情報が投稿された位置である。また、前記情報は、施設のクーポン情報または広告であり、前記位置情報は、前記施設の位置であってもよい。
【発明の効果】
【００１４】
本発明によれば、外部サーバから新規に取得した情報のうち、現在位置から所定の距離以上離れている投稿情報のみを地図上に表示するようにしたことで、ユーザの危険を防止できる。
【図面の簡単な説明】
【００１５】
【図１】実施例に係る地図表示装置を含むシステム全体構成を示す図である。
【図２】実施例に係るＳＮＳサーバの詳細構成図である。
【図３】実施例に係る地図サーバの詳細構成図である。
【図４】実施例に係る地図表示装置の詳細構成図である。
【図５】メモリに記憶される投稿情報および投稿情報取得日時の例を示す図である。
【図６】実施例に係る投稿情報取得および投稿情報付帯地図画面表示処理のフローチャートである。
【図７】新規投稿情報取得後のメモリに記憶される投稿情報および投稿情報取得日時の例を示す図である。
【図８】現在位置移動および新規投稿情報取得に伴う投稿情報付帯地図画面の遷移を示す図である。
【図９】変形例における地図縮尺に応じて非表示の基準値を変化させた場合の投稿情報付帯地図画像の表示例を示す図である。
【図１０】変形例の地図表示装置を含むシステム全体構成を示す図である。
【図１１】従来技術における投稿情報付帯地図画像の表示例を示す図である。
【発明を実施するための形態】
【００１６】
以下、本発明を適用した一実施形態の地図表示装置について、図面を用いて説明する。
図１は、本発明の実施例に係る地図表示装置を含むシステムの全体構成を示す図である。図１に示すシステムは、ＰＣ１や携帯電話２と、ＳＮＳの各種サービスを提供するＳＮＳサーバ３と、地図データを格納する地図サーバ４と、地図表示装置５と、を含んで構成されており、それぞれがネットワーク６を介して接続されている。
ＰＣ１や携帯電話２は、ユーザが情報を投稿するためのツールであり、ユーザによって入力された投稿内容を、ネットワーク６を介して、ＳＮＳサーバ３に送信する。ＰＣ１や携帯電話２は、投稿内容をＳＮＳサーバ３に送信する際、投稿内容に、投稿した日時情報、投稿者を識別するアカウント情報を付与し、投稿情報として送信し、さらに、投稿した位置を示す位置情報を付与することもできるようになっている。
【００１７】
ＳＮＳサーバ３は、ＰＣ１や携帯電話２から受信した投稿情報を蓄積しており、地図表示装置５から所定の情報の送信要求を受け、送信要求のあった投稿情報を読み出し、ネットワーク６を介して地図表示装置５に送信する。
地図サーバ４は、地図データベース（以下、地図ＤＢ）を備え、地図表示装置５から地図データの送信要求を受け、所定の地図データを読み出し、ネットワーク６を介して地図表示装置５に送信する。
地図表示装置５は、ユーザからの指示に従い、ＳＮＳサーバ３から投稿情報を取得し、地図サーバ４から現在位置周辺の地図データを取得する。そして、取得した投稿情報と地図データを基に、地図上に投稿情報を重畳した地図画像を表示する。
【００１８】
次に、ＳＮＳサーバ３の詳細構成について、図２を用いて説明する。
図２に示すように、通信部３１は、ネットワーク６と接続しており、ＰＣ１、携帯電話２、および地図表示装置５と各種データの送受信を行う。
ＳＮＳサーバ制御部３２は、ＰＣ１または携帯電話２から通信部３１を介して投稿情報が入力されると、この投稿情報を投稿情報データベース（以下、投稿情報ＤＢ）３３に記憶する。さらに、ＳＮＳサーバ制御部３２は、地図表示装置５から通信部３１を介して投稿情報送信要求が入力されると、この投稿情報送信要求を基に投稿情報ＤＢ３３から投稿情報を読み出して、通信部３１を介して地図表示装置５に送信する。
【００１９】
次に、地図サーバ４の詳細構成について、図３を用いて説明する。
図３に示すように、通信部４１は、ネットワーク６と接続しており、地図表示装置５と各種データの送受信を行う。
地図サーバ制御部４２は、地図表示装置５から通信部４１を介して地図データ送信要求が入力されると、地図ＤＢ４３から地図データ送信要求に含まれる位置情報に基づいて、位置情報周辺の地図データを読み出して、通信部４１を介して地図表示装置５に送信する。
なお、地図ＤＢ４３は、経度および緯度で適当な大きさに区切られた矩形形状の図葉を単位とした地図表示に必要な地図データが格納されており、地図サーバ制御部４２は、上記位置情報周辺に対する図葉番号を指定することにより位置情報周辺の地図データを読み出すことが可能となる。
【００２０】
次に、地図表示装置５の詳細構成について、図４を用いて説明する。
図４に示すように、地図表示装置５は、おもに通信機能や投稿情報制御機能、地図制御機能を行うスマートフォンＳＰ１と、おもに表示機能や音楽再生機能を行うディスプレイオーディオＤＡ１とにより構成されている。
【００２１】
連携制御部ＳＰ１１は、スマートフォンＳＰ１と後述するディスプレイオーディオＤＡ１とが、入出力インタフェースＳＰ１２を介して、ＵＳＢ（Ｕｎｉｖｅｒｓａｌ  Ｓｅｒｉａｌ  Ｂｕｓ）等で接続されたことを検出すると、スマートフォンＳＰ１とディスプレイオーディオＤＡ１間での各種データ通信の制御を行う。具体的には、スマートフォンＳＰ１が生成した地図画像や投稿情報付帯地図画像をディスプレイオーディオＤＡ１の表示部ＤＡ２２に表示させるためのデータを送信したり、ディスプレイオーディオＤＡ１で操作された指示をスマートフォンＳＰ１に送信したりする。
【００２２】
操作部ＳＰ１３は、ユーザの指示操作を受け付けるためのものであり、各種操作ボタンや後述する表示部ＳＰ３２に取り付けられたタッチパネル等により構成され、入力された指示操作を後述する入力処理部ＳＰ１４に出力する。
【００２３】
入力処理部ＳＰ１４は、操作部ＳＰ１３から入力される各種指示操作に対応する動作を行うための指示命令をスマートフォンＳＰ１の各部に向けて出力する。また入力処理部ＳＰ１４は、ディスプレイオーディオＤＡ１から入出力インタフェースＳＰ１２を介して入力される各種指示操作に対応する動作を行うための指示命令をスマートフォンＳＰ１内の各部に向けて出力する。
指示命令としては、ＳＮＳサーバ３から投稿情報を取得する投稿情報取得指示、地図画像を表示させる地図表示指示、取得した投稿情報を地図に重畳表示させる投稿情報付帯地図表示指示等がある。
【００２４】
通信部ＳＰ２１は、ネットワーク６と接続しており、ＳＮＳサーバ３や地図サーバ４と各種データの送受信を行う。
【００２５】
現在位置算出部ＳＰ２２は、例えば、ＧＰＳ受信機、方位センサ、距離センサ等を備えており、所定のタイミングで、現在位置（経度、緯度）の検出を行い、その検出結果に基づいて現在位置を算出し、算出した現在位置を、投稿情報取得部ＳＰ２４、地図取得部ＳＰ２５、地図生成部ＳＰ３１に出力する。
【００２６】
メモリＳＰ２３は、後述する投稿情報取得部ＳＰ２４がＳＮＳサーバ３から取得した投稿情報を一時的に記憶するとともに、ＳＮＳサーバ３から投稿情報を取得した取得日時情報を一時的に記憶する（図５）。なお、投稿情報には、投稿した日時情報、位置情報、投稿内容、投稿者識別情報（アカウント情報）が含まれており、例えば、図５に示す投稿情報ＴＷ１は、投稿日時として「２０１２／０４／０２  ０７：３０」、位置情報として「経度：Ｌｏｎ．Ａ」「緯度：Ｌａｔ．Ａ」、投稿内容として「アイドル発見♪」、アカウント情報として「Ｄｅｂｂｙ」が１つの投稿情報として記憶されている。また、投稿情報に付される新規投稿フラグは、新規投稿である投稿情報には、「１」が付され、前回以前に取得した投稿情報には、「０」が付されて記憶されている。
【００２７】
投稿情報取得部ＳＰ２４は、入力処理部ＳＰ１４から投稿情報取得指示が入力されると、メモリＳＰ２３に記憶されている前回投稿情報を取得した日時情報を含む投稿情報送信要求を作成し、通信部ＳＰ２１を介して、ＳＮＳサーバ３に送信する。但し、第１回目の投稿情報の取得指示の場合には、日時情報を投稿情報送信要求に含まない。そして、投稿情報取得部ＳＰ２４は、ＳＮＳサーバ３が送信した投稿情報を取得し、この投稿情報に新規投稿フラグを付してメモリＳＰ２３に記憶するとともに、投稿情報を取得した日時情報をメモリＳＰ２３に記憶する。
【００２８】
また、投稿情報取得部ＳＰ２４は、投稿情報を取得してから、所定時間経過したか否かを検出し、所定時間以上経過した場合、メモリＳＰ２３に記憶した取得日時以降にＳＮＳサーバ３に投稿された投稿情報を取得する投稿情報送信要求を自動的にＳＮＳサーバ３に送信して投稿情報を取得するようにしてもよい。このとき、投稿情報取得部ＳＰ２４は、メモリＳＰ２３に記憶されている投稿情報の新規投稿フラグを「０」にするとともに、取得した投稿情報に新たに新規投稿フラグ「１」を付してメモリＳＰ２３に記憶する。
さらに、投稿情報取得部ＳＰ２４は、入力処置部ＳＰ１４から投稿情報を地図に重畳した投稿情報付帯地図を表示する投稿情報付帯地図表示指示が入力されると、メモリＳＰ２３に記憶された投稿情報のうち、現在位置算出部ＳＰ２２から入力される現在位置から所定の条件を満たす投稿情報を読み出し、後述する地図生成部ＳＰ３１に出力する。なお、所定の条件を満たす投稿情報とは、地図取得部ＳＰ２５が取得した地図データの範囲に含まれる投稿情報である。
【００２９】
地図取得部ＳＰ２５は、入力処理部ＳＰ１４から入力される地図表示指示により、現在位置算出部ＳＰ２２から出力された現在位置情報を含む地図データ送信要求を生成し、通信部ＳＰ２１を介して、地図サーバ４に送信する。その後、地図取得部ＳＰ２５は、地図サーバ４から送信された地図データを取得し、後述する地図生成部ＳＰ３１に出力する。
また、地図取得部ＳＰ２５は、現在位置が移動するたびに、必要に応じて地図サーバ４から現在位置周辺の地図データを自動的に取得し、地図生成部ＳＰ３１に出力する。
【００３０】
地図生成部ＳＰ３１は、入力処理部ＳＰ１４から地図表示指示を受けると、地図取得部ＳＰ２５から出力される地図データに基づいて、地図画像を生成する。
さらに、地図生成部ＳＰ３１は、入力処理部ＳＰ１４から投稿情報付帯地図表示指示を受けると、投稿情報取得部ＳＰ２４から出力される投稿情報に含まれる位置情報に該当する地図画像の位置にこの投稿情報を重畳した投稿情報付帯地図画像を生成する。
このとき、地図生成部ＳＰ３１は、投稿情報取得部ＳＰ２４から出力される投稿情報の新規投稿フラグに基づいて、投稿情報が新規投稿であるか否かを判定し、投稿情報が新規投稿である場合には、投稿情報の位置情報と現在位置算出部ＳＰ２２の現在位置が基準値（例えば１００ｍ）以上離れている場合に限り、地図画像に当該投稿情報を重畳する。一方、投稿情報が新規投稿でない場合には、現在位置算出部ＳＰ２２の現在位置に係らず、地図画像に重畳する。さらに、地図生成部ＳＰ３１は、現在位置算出部ＳＰ２２の現在位置情報から移動状態を判定し、停止中である場合には、新規投稿情報を現在位置に係らず、地図画像に重畳することもできる。
そして、地図生成部ＳＰ３１は、生成した地図画像または投稿情報付帯地図画像を表示部ＳＰ３２および連携制御部ＳＰ１１を介してディスプレイオーディオＤＡ１の表示部ＤＡ２２に表示する。
【００３１】
連携制御部ＤＡ１１は、スマートフォンＳＰ１とディスプレイオーディオＤＡ１とが、入出力インタフェースＤＡ１２を介して、ＵＳＢ等で接続されたことを検出すると、スマートフォンＳＰ１とディスプレイオーディオＤＡ１間での各種データ通信の制御を行う。具体的には、操作部ＤＡ１３で操作された指示を、入出力インタフェースＤＡ１２を介してスマートフォンＳＰ１に送信したり、スマートフォンＳＰ１から送信される地図画像や投稿情報付帯地図画像を受信したりする。
【００３２】
操作部ＤＡ１３は、各種の操作ボタンや後述する表示部ＤＡ２２の画面に取り付けられたタッチパネル等により構成され、ユーザ操作によって、スマートフォンＳＰ１への指示操作（例えば、地図画像表示操作）および後述するディスクドライバＤＡ３１への指示操作（例えば、ディスク再生操作）を行うことができる。
コマンド制御部ＤＡ１４は、操作部ＤＡ１３を用いて行われたスマートフォンＳＰ１への指示操作およびディスクドライバＤＡ３１への指示操作に対応する動作を行うための指示命令を作成し、この指示命令を連携制御部ＤＡ１１およびディスクドライバＤＡ３１に出力する。
【００３３】
表示制御部ＤＡ２１は、連携制御部ＤＡ１１から地図画像または投稿情報付帯地図画像が入力されると、それらを表示部ＤＡ２２に表示する。
また、表示制御部ＤＡ２１は、ディスクドライバＤＡ３１から映像データが入力されると、その映像データを表示部ＤＡ２２に表示する。
【００３４】
ディスクドライバＤＡ３１は、光ピックアップ装置や光ピックアップ装置を駆動するモータ等により構成され、ＣＤやＤＶＤに光を照射し、その反射光を検知器等で検知する機能を有する。このディスクドライバＤＡ３１は、コマンド制御部ＤＡ１４からＣＤの再生要求があった場合、ＣＤから音声データを読み取り、音声制御部ＤＡ３２へ出力する。また、コマンド制御部ＤＡ１４からＤＶＤの再生要求があった場合、ＤＶＤから音声データと映像データを読み取り、音声データを音声制御部ＤＡ３２へ出力し、映像データを表示制御部ＤＡ２１に出力する。
音声制御部ＤＡ３２は、ディスクドライバＤＡ３１から送られてきた音声データや、連携制御部ＤＡ１１から送られてきた音声データを受け、スピーカーＤＡ３３に出力し、スピーカーＤＡ３３は入力された音声データを再生する。
【００３５】
次に、本発明の実施例に係る投稿情報取得および投稿情報付帯地図表示処理について、図６を用いて説明する。
ユーザが、スマートフォンＳＰ１とディスプレイオーディオＤＡ１を、ＵＳＢを用いて接続すると（Ｓ２０１）、連携制御部ＳＰ１１および連携制御部ＤＡ１１は、スマートフォンＳＰ１とディスプレイオーディオＤＡ１とが接続されたことを各々検出し、スマートフォンＳＰ１とディスプレイオーディオＤＡ１の連携制御の準備を行う。その後、ユーザが、操作部ＤＡ１３を用いて、投稿情報付帯地図表示を指示する（Ｓ２０２）と、操作部ＤＡ１３は、その操作指示をコマンド制御部ＤＡ１４に出力する。そして、コマンド制御部ＤＡ１４は、連携制御部ＤＡ１１および入出力インタフェースＤＡ１２を介して、スマートフォンＳＰ１に当該投稿情報付帯地図表示指示を出力する。
スマートフォンＳＰ１の連携制御部ＳＰ１１は、入出力インタフェースＳＰ１２を介して、投稿情報付帯地図表示指示が入力されると、その指示を、入力処理部ＳＰ１４に出力する。そして、入力処理部ＳＰ１４は、投稿情報取得部ＳＰ２４に投稿情報取得指示および投稿情報付帯地図表示指示を、地図取得部ＳＰ２５に地図表示指示を、地図生成部ＳＰ３１に投稿情報付帯地図表示指示を出力する。
【００３６】
投稿情報取得部ＳＰ２４は、入力処理部ＳＰ１４から投稿情報取得指示が入力されると、ＳＮＳサーバ３に対して、通信部ＳＰ２１を介して投稿情報送信要求を送信し、ＳＮＳサーバ３から通信部ＳＰ２１を介して投稿情報を取得した後、メモリＳＰ２３に記憶する。このとき、投稿情報取得部ＳＰ２４は、受信した投稿情報に対して新規投稿フラグを付して、メモリＳＰ２３に記憶させる（Ｓ２０３）。
そして、投稿情報取得部ＳＰ２４は、入力処理部ＳＰ１４から投稿情報付帯地図表示指示が入力されると、メモリＳＰ２３に記憶された投稿情報のうち、現在位置算出部ＳＰ２２から入力される現在位置を基に、地図取得部ＳＰ２５が取得した地図データの範囲に含まれる投稿情報を読み出し、地図生成部ＳＰ３１に出力する（Ｓ２０４）。
同時に、地図取得部ＳＰ２５は、入力処理部ＳＰ１４から地図表示指示が入力されると、地図サーバ４に対して、通信部ＳＰ２１を介して地図データ送信要求を送信することで、地図サーバ４から現在位置周辺の地図データを、通信部ＳＰ２１を介して取得し、地図生成部ＳＰ３１に出力する。
【００３７】
そして、地図生成部ＳＰ３１は、投稿情報取得部ＳＰ２４から出力される投稿情報の新規投稿情報フラグに基づいて、投稿情報が新規投稿であるか否かを判定し、投稿情報が新規投稿情報である場合には、投稿情報の位置情報と現在位置算出部ＳＰ２２の現在位置が基準値（例えば１００ｍ）以上離れている場合に限り、地図取得部ＳＰ２５から出力される地図画像に当該投稿情報を重畳した投稿情報付帯地図画像を生成する。
【００３８】
地図生成部ＳＰ３１は、生成した投稿情報付帯地図画像を連携制御部ＳＰ１１に出力し、連携制御部ＳＰ１１は、当該投稿情報付帯地図画像を、入出力インタフェースＳＰ１２を介し、ディスプレイオーディオＤＡ１に出力する。ディスプレイオーディオＤＡ１の連携制御部ＤＡ１１は、前記投稿情報付帯地図画像が入力されると、投稿情報付帯地図画像を表示制御部ＤＡ２１に出力し、表示制御部ＤＡ２１は表示部ＤＡ２２に投稿情報付帯地図を表示させる（Ｓ２０５）。
なお、ステップＳ２０４およびステップＳ２０５は、現在位置が変化する度に処理される。
【００３９】
そして、投稿情報付帯地図の表示が完了すると、投稿情報取得部ＳＰ２４は、ＳＮＳサーバ３から投稿情報を取得した取得日時情報をメモリＳＰ２３に記憶する（Ｓ２０６）。
【００４０】
続いて、投稿情報取得部ＳＰ２４は、前回投稿情報を取得してから所定時間経過したか否かを確認する（Ｓ２０７）。ここで、前回投稿情報を取得してから所定時間以上経過していれば、投稿情報取得部ＳＰ２４は、メモリＳＰ２３に記憶されている取得日時情報を基に、投稿情報送信要求を作成し、ＳＮＳサーバ３に対し、通信部ＳＰ２１を介して投稿情報送信要求を送信することで、前回取得した後にＳＮＳサーバ３に投稿された投稿情報を、ＳＮＳサーバ３から通信部ＳＰ２１を介して取得する（Ｓ２０８）。そして、投稿情報取得部ＳＰ２４は、取得した投稿情報に新規投稿フラグ「１」を付与して、メモリＳＰ２３に記憶する。また、メモリＳＰ２３に記憶されていた投稿情報については、新規投稿フラグを「０」に設定する（図７）。
【００４１】
一方、所定時間経過していなければ、ユーザにより投稿情報取得操作がされたか否かを確認する（Ｓ２０９）。ユーザが操作部ＤＡ１３を用いて投稿情報取得操作を行うと、その操作指示がコマンド生成部ＤＡ１４から連携制御部ＤＡ１１およびＳＰ１１の連携制御により入力処理部ＳＰ１４へ出力され、入力処理部ＳＰ１４から投稿情報取得部ＳＰ２４に入力される。投稿情報取得部ＳＰ２４は、投稿情報取得指示が入力されると、ステップＳ２０８と同様に、メモリＳＰ２３に記憶されている取得日時情報を基に、投稿情報送信要求を作成し、ＳＮＳサーバ３に対して、投稿情報送信要求を通信部ＳＰ２１を介して送信することで、前回取得した後にＳＮＳサーバ３に投稿された投稿情報を、ＳＮＳサーバ３から通信部ＳＰ２１を介して取得する。そして、投稿情報取得部ＳＰ２４は、取得した投稿情報に新規投稿フラグ「１」を付与して、メモリＳＰ２３に記憶する。また、メモリＳＰ２３に記憶されていた投稿情報については、新規投稿フラグを「０」に設定する。
【００４２】
一方、取得操作がなされていなければ、スマートフォンＳＰ１の電源がオフされたかもしくはスマートフォンＳＰ１とディスプレイオーディオＤＡ１との接続が解除されたかを確認する（Ｓ２１０）。ここで、電源がオフもしくは接続が解除されると、連携制御部ＳＰ１１および連携制御部ＤＡ１１は連携制御を止め、ディスプレイオーディオＤＡ１への投稿情報付帯地図画像の表示を終了する。一方、電源のオフも接続の解除も行わなければ、ステップＳ２０７の所定時間経過したか否かの確認に戻る。
【００４３】
上記の投稿情報付帯地図表示処理により、表示部ＤＡ３２に表示される投稿情報付帯地図画面の具体的な画面遷移について、図８を用いて説明する。
投稿情報取得部ＳＰ２４が、ステップＳ２０３でＳＮＳサーバ３から投稿情報を取得し、メモリＳＰ２３に図５のように投稿情報ＴＷ１〜ＴＷ７が記憶されていた場合、投稿情報取得部ＳＰ２４は、現在位置算出部ＳＰ２２から出力される現在位置情報と投稿情報の位置情報を基に、現在位置周辺の投稿情報ＴＷ１、ＴＷ２、ＴＷ４、ＴＷ７を読み出し、地図生成部ＳＰ３１に出力する。
【００４４】
地図生成部ＳＰ３１は、投稿情報取得部ＳＰ２４から出力された投稿情報のうち、投稿情報ＴＷ１「アイドル発見♪」、投稿情報ＴＷ２「Ａ店に着いた」、投稿情報ＴＷ４「変な車発見！」は、現在位置からの距離が基準値（図８（ａ）の破線円）未満であるため、これらの投稿情報を非表示にするように表示制御し、一方、投稿情報ＴＷ７「店が出来てる。」は、現在位置からの距離が基準値（図８（ａ）の破線円）以上離れているため、この投稿情報を表示するように表示制御した投稿情報付帯地図画像を生成する。そして、地図生成部ＳＰ３１は、生成した投稿情報付帯地図画像を、連携制御部ＳＰ１１を介して、ディスプレイオーディオＤＡ１に出力する。ディスプレイオーディオＤＡ１の表示制御部ＤＡ２１は、連携制御部ＤＡ１１を介して、入力された投稿情報付帯地図画像を表示部ＤＡ２２に表示することで、図８（ａ）の画面がユーザに提供される。
図８において、実線の吹き出し図の投稿情報が投稿情報付帯地図に表示される投稿情報を示しているが、一点鎖線の吹き出し図で表示されている投稿情報は、本来投稿情報付帯地図には表示されていないが、説明の便宜上、一点鎖線を用いて描画している。
【００４５】
その後、ユーザが移動し、図８（ｂ）のＶＰに示す位置に現在位置が変化すると、投稿情報取得部ＳＰ２４は、同様にメモリＳＰ２３から投稿情報を読み出し、地図生成部ＳＰ３１に出力する。
地図生成部ＳＰ３１も同様に、投稿情報取得部ＳＰ２４から入力された投稿情報のうち、投稿情報ＴＷ１「アイドル発見♪」、投稿情報ＴＷ２「Ａ店に着いた」は、図８（ａ）同様に、非表示にするように表示制御し、投稿情報ＴＷ４「変な車発見！」は、移動したことで現在位置からの距離が基準値以上離れたため、表示対象となり、地図上に表示するように表示制御される。また、投稿情報ＴＷ７「店が出来てる。」は、移動したことで現在位置からの距離が基準値未満になったが、図８（ａ）の時点で表示していたため、そのまま地図上に表示するように表示制御した投稿情報付帯地図画面を生成する。
地図生成部ＳＰ３１は、生成した投稿情報付帯地図画像を、連携制御部ＳＰ１１を介して、ディスプレイオーディオＤＡ１に出力する。ディスプレイオーディオＤＡ１の表示制御部ＤＡ２１は、連携制御部ＤＡ１１を介して、入力された投稿情報付帯地図画像を表示部ＤＡ２２に表示することで、図８（ｂ）の画面がユーザに提供される。
【００４６】
その後、ＳＮＳサーバ３から投稿情報を取得してから所定時間経過すると、投稿情報取得部ＳＰ２４は、前回ＳＮＳサーバ３から投稿情報を取得してからＳＮＳサーバ３に新たに投稿された投稿情報をＳＮＳサーバ３から取得し、メモリＳＰ２３に記憶する。その結果、投稿情報ＴＷ１１および投稿情報ＴＷ１２がメモリＳＰ２３に新たに追加記憶される（図７）。
そして、同様に、現在位置からの距離が基準値未満の新規投稿情報を非表示にする表示制御を行い、投稿情報ＴＷ２「Ａ店に着いた」、投稿情報ＴＷ１１「今月で閉店だって・・・」を非表示対象とし、投稿情報ＴＷ４「変な車発見！」、投稿情報ＴＷ７「店が出来てる。」、投稿情報ＴＷ１２「事故発生！」を表示対象とし、投稿情報付帯地図画像を生成する。そして、地図生成部ＳＰ３１は、生成した投稿情報付帯地図画像を、ディスプレイオーディオＤＡ１に出力し、ディスプレイオーディオＤＡ１の表示制御部ＤＡ２１により、ディスプレイオーディオＤＡ１の表示部ＤＡ２２に表示される（図８（ｃ））。
【００４７】
以上のように構成することで、ＳＮＳサーバ３から新しく取得した新規投稿情報を地図上に表示させる際、取得した投稿情報の位置情報と現在位置とを比較し、これらの距離が基準値以上である投稿情報が表示され、反対にこれらの距離が基準値未満である投稿情報が非表示となり、現在位置付近や自車位置付近に新規に表示される投稿情報の表示を制限することが可能となるため、ユーザの危険な運転や歩行を防止することができる。
【００４８】
−変形例−
前記実施例における投稿情報付帯地図画像の表示制御において、新規投稿情報を非表示とする条件の１つに、現在位置と投稿情報の位置情報との距離が基準値（１００ｍ）未満である投稿情報としたが、この基準値を地図の表示スケールに応じて、変化させることも可能である。
すなわち、地図の表示スケールが詳細スケール（例えば「５０ｍ」）の時には、新規投稿情報が非表示対象となる距離の基準値を小さく（例えば「１００ｍ」）を設定することで、図９（ａ）に示す投稿情報付帯地図画像が表示され、地図の表示スケールが先ほどより広域のスケール（例えば「２００ｍ」）の時には、前記基準値を大きく（例えば「４００ｍ」）を設定することで、図９（ｂ）に示す投稿情報付帯地図画像が表示され、より広域の新規投稿情報が非表示となる。さらに広域のスケール（例えば「１ｋｍ」）の時には、前記基準値を大きく（例えば「２ｋｍ」）を設定することで、さらに広域の新規投稿情報が非表示になる。
また、地図の表示スケールに係らず、新規投稿情報が非表示対象となる距離の基準値が一定（例えば「１００ｍ」）とすることも可能であり、この場合、図９（ｃ）に示す投稿情報付帯地図画像が表示され、図９（ａ）と同じ投稿情報が表示対象となる。
地図の表示スケールと基準値の設定はユーザに選択させることも可能であり、これらをユーザに選択させることで、ユーザにとってより使いやすく、ユーザの趣向に応じた地図表示装置５を提供することが可能となる。
【００４９】
さらに前記実施例では、地図上に投稿情報を表示させる際、投稿情報の位置情報が示す位置に投稿内容（文字列）を表示する例を示したが、これに限らず、アイコン等の表示形式を用いて表示することも可能である。このようにすることで、投稿内容の文字列が長い投稿情報について、簡潔に表示させることが可能となる。
【００５０】
また、前記実施例では、ＳＮＳへの投稿情報を取得して表示制御する例を示したが、位置情報および日時情報を含む情報であれば、この限りではない。例えば、位置情報および日時情報を含む画像データを蓄積するサーバから当該画像データを取得し、表示制御することも、位置情報および日時情報を含む施設のクーポン情報や広告を蓄積するサーバから当該クーポン情報や広告を取得し、表示制御することも可能である。
【００５１】
そして、前記実施例では、通信装置であるスマートフォンＳＰ１と、車載装置であるディスプレイオーディオＤＡ１、地図サーバ４がそれぞれ別装置である場合の例を説明したが、これらを１つの装置、例えば、車載用ナビゲーション装置にも適用することができる。
この場合、図１０に示すシステムのように、ＰＣ１や携帯電話２と、ＳＮＳの各種サービスを提供するＳＮＳサーバ３と、地図表示装置９がネットワーク６を介して接続されている。そして、前記実施例では、地図データベースを地図サーバ４に備えており、ネットワークを介して地図データを取得したが、地図表示装置９は、車載用ナビゲーション装置に備えられた地図データベースから読み出す。また、車載用ナビゲーション装置には、経路探索機能、経路誘導機能が備えられており、自車位置から目的地までの経路誘導が可能である。
【符号の説明】
【００５２】
１  ＰＣ
２  携帯電話
３  ＳＮＳサーバ
４  地図サーバ
５、９  地図表示装置
３１、４１、ＳＰ２１  通信部
３２  ＳＮＳサーバ制御部
３３  投稿情報データベース
４２  地図サーバ制御部
４３  地図データベース
ＳＰ１  スマートフォン
ＤＡ１  ディスプレイオーディオ
ＳＰ１１、ＤＡ１１  連携起動部
ＳＰ１２、ＤＡ１２  入出力インタフェース
ＳＰ１３、ＤＡ１３  操作部
ＳＰ１４  入力処理部
ＳＰ２２  現在位置算出部
ＳＰ２３  メモリ
ＳＰ２４  投稿情報取得部
ＳＰ２５  地図取得部
ＳＰ３１  地図生成部
ＳＰ３２、ＤＡ２２  表示部
ＤＡ１４  コマンド制御部
ＤＡ２１  表示制御部
ＶＰ  現在位置
Ｔ１〜Ｔ４、ＴＷ１〜ＴＷ７、ＴＷ１１、ＴＷ１２  投稿情報
【図１】
2014074670.tif 000003
【図２】
2014074670.tif 000004
【図３】
2014074670.tif 000005
【図４】
2014074670.tif 000006
【図５】
2014074670.tif 000007
【図６】
2014074670.tif 000008
【図７】
2014074670.tif 000009
【図８】
2014074670.tif 000010
【図９】
2014074670.tif 000011
【図１０】
2014074670.tif 000012
【図１１】
2014074670.tif 000013